(57)【要約】【課題】鍵の収納・取り出しが容易な鍵保管装置を提供する。【解決手段】無線ＩＣタグ３を埋設した鍵収容ケース２に保管対象の鍵Ｋを収容する。収納部５は、投入口４ａに通じる複数の収納部屋７を有し、鍵収容ケース２を投入口４ａから近い順に空いた収納部屋７に収納する。各収納部屋７のタグ情報取得部８は、収納された鍵収容ケース２の無線ＩＣタグ３からタグ情報を取得する。タグ情報取得部８が取得したタグ情報と、このタグ情報が取得される鍵収容ケース２を収納した収納部屋７との対応関係を示すデータは記憶部１１に記憶される。制御部１２は、入力情報によって特定される鍵Ｋの鍵収容ケース２の収納部屋７を記憶部１１のデータから判別し、該当する鍵収容ケース２を収納部屋７から排出するべくその収納部屋７のケース支持／排出機構９を制御する。【選択図】図１
2008261180.tif 000002
【特許請求の範囲】
【請求項１】
保管対象となる鍵を特定する情報が予め登録された無線ＩＣタグを埋設した鍵収容ケースに前記保管対象となる鍵を収容し、
前記鍵収容ケースが投入される投入口に通じる複数の収納部屋を有し、前記投入口から投入された前記鍵収容ケースを前記投入口から近い順に前記複数の収納部屋の空いた収納部屋に収納する収納部と、
前記複数の収納部屋毎に設けられ、当該収納部屋に収納される前記鍵収容ケースの前記無線ＩＣタグと非接触通信して当該無線ＩＣタグからタグ情報を取得するタグ情報取得部と、
前記複数の収納部屋毎に設けられ、当該収納部屋に収納される前記鍵収容ケースを支持又は排出するケース支持／排出機構と、
前記タグ情報取得部が取得したタグ情報と、該タグ情報が取得される前記鍵収容ケースを収納した前記収納部屋との対応関係を示すデータを記憶する記憶部と、
前記鍵収容ケースの取り出しを指示する入力情報によって特定される鍵が収容された鍵収容ケースの収納部屋を前記記憶部に記憶されたデータから判別し、該判別結果に基づいて該当する鍵収容ケースを収納部屋から排出するように当該収納部屋のケース支持／排出機構を制御する制御部とを備えたことを特徴とする鍵保管装置。
【発明の詳細な説明】
【技術分野】
【０００１】
本発明は、例えば複数のテナントがあるオフィスビルやマンション等の集合住宅等の建物内の各部屋の鍵を集中的に保管する鍵保管装置に関するものである。
【背景技術】
【０００２】
例えば複数のテンントがあるオフィスビルやマンション等の集合住宅等の建物内の各部屋の鍵を集中的に保管する鍵保管装置としては、下記特許文献１に開示される鍵管理装置を含め、様々な形態のものが提案されている。
【０００３】
図６は特許文献１に開示される鍵管理装置の動作を表す正面図、図７は同鍵管理装置の側断面図である。図６及び図７に示すように、特許文献１に開示される鍵管理装置５１は、収納部５２と、表面パネル５３と、シャッター板５４と、直動機構５５とを備えて概略構成される。
【０００４】
収納部５２は、縦横各方向に所定ピッチ毎となって配列され、内部に鍵Ｋが収納される開口５２ａを有している。表面パネル５３は、収納部５２の各開口５２ａに対応する貫通穴５３ａが穿設され、開口５２ａに沿って設けられる。シャッター板５４は、縦シャッター板５６と横シャッター板５７から構成される。縦シャッター板５６は、収納部５２と表面パネル５３との間に収納部５２の縦１列毎に介設され、貫通穴５３ａと同形の穴５６ａと貫通穴５３ａを閉塞する閉塞部５６ｂが形成されている。横シャッター板５７は、収納部５２と表面パネル５３との間で、縦シャッター板５６と重合状態に収納部５２の横１列毎に配設され、貫通穴５３ａと同形の穴５７ａと貫通穴５３ａを閉塞する閉塞部５７ｂが形成されている。直動機構５５は、各縦シャッター板５６に連結された第１の直動機構５８と、各横シャッター板５７に連結された第２の直動機構５９から構成される。第１の直動機構５８は、穴５６ａが開口５２ａ及び貫通穴５３ａと一致するように縦シャッター板５６を各列方向にスライド移動させる。第２の直動機構５９は、穴５７ａが開口５２ａ及び貫通穴５３ａと一致するように横シャッター板５７を縦シャッター板５６に対して直交する方向にスライド移動させる。なお、図示はしないが、鍵保管装置５１には、収納部５２内への鍵Ｋの収納、収納部５２内の鍵Ｋの取り出しを行う際に、暗証番号を入力するためのテンキー部、ＩＤカードを挿入するためのカード挿入口が装置本体の正面側の一部に設けられている。また、これら操作による暗証番号やＩＤカードの識別コードの照合を行い、各直動機構５５（５８，５９）を駆動制御する制御部が装置本体内に設けられている。
【０００５】
そして、上記構成による鍵保管装置５１では、テンキー部にて暗証番号を入力するか、カード挿入口にＩＤカードを挿入し、制御部が識別コードの照合を行い、この識別コードに対応する目的の鍵Ｋが収納された収納部５２が開放される。すなわち、制御部により、目的の鍵Ｋが収納されている収納部５２に対応する縦シャッター板５６及び横シャッター板５７に連結されている第１，第２の直動機構５８，５９が駆動し、各シャッター板５６，５７を同時にスライド移動させ、図７に示すように、各シャッター板５６，５７の各穴５６ａ，５７ａが収納部５２の開口５２ａ及び表示パネル５３の貫通穴５３ａと一致させる。これにより、目的の鍵Ｋが収納されている収納部５２が開放され、内部の鍵Ｋを取り出すことが可能となる。
【特許文献１】特開平８−１２８２４２号公報
【発明の開示】
【発明が解決しようとする課題】
【０００６】
しかしながら、上述した特許文献１に開示される鍵保管装置５１を含め、従来の鍵保管装置では、収納部に対する鍵の収納位置が建物の各部屋毎に予め決められているのが一般的であった。そして、鍵の保管・取り出しを行う際には、自分の鍵の収納位置を確認する必要があり、鍵の保管・取り出しに手間を要していた。
【０００７】
そこで、本発明は上記問題点に鑑みてなされたものであり、鍵の保管・取り出しが容易な鍵保管装置を提供することを目的とするものである。
【課題を解決するための手段】
【０００８】
上記した目的を達成するために、請求項１に記載された鍵保管装置は、保管対象となる鍵を特定する情報が予め登録された無線ＩＣタグを埋設した鍵収容ケースに前記保管対象となる鍵を収容し、
前記鍵収容ケースが投入される投入口に通じる複数の収納部屋を有し、前記投入口から投入された前記鍵収容ケースを前記投入口から近い順に前記複数の収納部屋の空いた収納部屋に収納する収納部と、
前記複数の収納部屋毎に設けられ、当該収納部屋に収納される前記鍵収容ケースの前記無線ＩＣタグと非接触通信して当該無線ＩＣタグからタグ情報を取得するタグ情報取得部と、
前記複数の収納部屋毎に設けられ、当該収納部屋に収納される前記鍵収容ケースを支持又は排出するケース支持／排出機構と、
前記タグ情報取得部が取得したタグ情報と、該タグ情報が取得される前記鍵収容ケースを収納した前記収納部屋との対応関係を示すデータを記憶する記憶部と、
前記鍵収容ケースの取り出しを指示する入力情報によって特定される鍵が収容された鍵収容ケースの収納部屋を前記記憶部に記憶されたデータから判別し、該判別結果に基づいて該当する鍵収容ケースを収納部屋から排出するように当該収納部屋のケース支持／排出機構を制御する制御部とを備えたことを特徴とする。
【発明の効果】
【０００９】
本発明に係る鍵保管装置によれば、鍵を保管する場合、従来のような装置における鍵の収納位置を意識する必要がなく、鍵を収容した鍵収容ケースを投入口から投入するだけの極めて簡単な操作で容易に鍵の保管を行うことができる。
【００１０】
また、鍵を取り出す場合には、鍵の取り出しを指示する情報を入力するだけの操作（例えばＩＣカード等のカード状記憶媒体をカードリーダにかざしてカード情報を読み取らせる操作やテンキーによる暗証番号等の入力操作）を行うだけで該当する収納部屋のケース支持／排出機構を駆動制御し、取り出し対象となる鍵が収容された鍵収容ケースを排出することができる。これにより、鍵の保管・取り出しを容易に行うことができる。
【発明を実施するための最良の形態】
【００１１】
以下、本発明の最良の形態について、添付した図面を参照しながらそれぞれ詳細に説明する。図１は本発明に係る鍵保管装置の概略構成を示す図、図２は本発明に係る鍵保管装置において鍵収容ケースの収納状態を示す収納部の部分斜視図、図３は本発明に係る鍵保管装置において鍵収容ケースの排出状態を示す収納部の部分斜視図、図４は本発明に係る鍵保管装置の電気的構成部分のブロック図、図５は本発明に係る鍵保管装置の動作フローチャートである。
【００１２】
本例の鍵保管装置は、例えば複数のテナントがあるオフィスビルやマンション等の集合住宅等の建物内の共用出入口に設置され、建物内の各部屋の施解錠に用いられる鍵を集中的に保管するものである。
【００１３】
本例の鍵保管装置１では、鍵Ｋを収容するために、利用者に配布される専用の鍵収容ケース２が用いられる。鍵収容ケース２は、図１〜図３に示すように、２つに分割された半球体２ａ，２ｂからなり、鍵Ｋを収容した状態で両半球体２ａ，２ｂの開口側外周部２ｃ，２ｃをつき合わせて嵌合し、一体化した球体を構成している。鍵収容ケース２には、後述するタグ情報取得部８との間で無線通信可能な無線ＩＣタグ３が埋設されている。無線ＩＣタグ３には、鍵保管装置１での保管が可能な鍵Ｋを特定するための情報がタグ情報として予め登録されている。このタグ情報は、例えば鍵保管装置１が設置される建物情報、鍵Ｋを所有する利用者の部屋情報、予め決められる暗証番号やケース番号等からなる。
【００１４】
鍵保管装置１は、例えば建物内の共用出入口に設置され、図１に示すような箱状の筐体４を本体としている。筐体４の前面上部（図１の前面上部左側）には、鍵Ｋが収容された鍵収容ケース２を投入するための投入口４ａが設けられている。投入口４ａは、１個分の鍵収容ケース２の投入が可能な大きさや形状（図示の例では鍵収容ケース２の外形より一回り大きい円形状）に形成される。
【００１５】
また、筐体４内には、鍵Ｋが収容された鍵収容ケース２を１個づつ収納するための収納部５が設けられている。図１に示す収納部５は、投入口４ａに通じる通路６に対し、筐体４の上部から下部に向かい所定角度傾斜して階段状に複数の収納部屋７が通路６に沿って区画形成されている。投入口４ａに通じる通路６は、１個分の鍵収容ケース２が転がる幅に形成されている。また、収納部５を構成する複数の収納部屋７は、１個分の鍵収容ケース２が収納可能な容積を有し、例えば矩形状に区画形成される。そして、投入口４ａから投入された鍵収容ケース２は、通路６を転がって収納部５に導かれ、複数の収納部屋７のうち、投入口４ａに近い順に空いている収納部屋７に収納される。
【００１６】
なお、収納部５は、鍵収容ケース２を投入口４ａから近い順に複数の収納部屋７の空いた収納部屋７に収納する構成であれば良く、図１に示す構成に限定されるものではない。例えば投入口４ａから筐体４の下方に向かって通路６を渦巻き状に設け、筐体４の上下方向で重ならないように複数の収納部屋７を通路６に沿って区画形成する構成としても良い。
【００１７】
さらに、筐体４の前面下部（図１の前面下部左側）には、収納部５の複数の収納部屋７から選択的に排出される鍵収容ケース２を取り出すための取出口４ｂが設けられている。取出口４ｂは、少なくとも１個分の鍵収容ケース２の取り出しが可能な大きさや形状（図示の例では矩形状）に形成される。
【００１８】
また、複数の収納部屋７には、それぞれにタグ情報取得部８が設けられている。タグ情報取得部８は、その収納部屋７に収納された鍵収容ケース２の無線ＩＣタグ３との間で無線通信を行い、無線ＩＣタグ３からタグ情報を取得し、取得したタグ情報を後述する制御部１２に出力している。なお、各タグ情報取得部８は、そのタグ情報取得部８が設けられる収納部屋７に収納された鍵収容ケース２の無線ＩＣタグ３とのみ無線通信が行われるように、無線ＩＣタグ３との通信距離が予め設定されている。
【００１９】
さらに、複数の収納部屋７の底部には、ケース支持／排出機構９が設けられている。本例でのケース支持／排出機構９は、図２や図３に示すように、後述する制御部１２によって駆動制御されるモータ９ａと、モータ９ａに連動連結された棒状の回転部材９ｂとから構成される。ケース支持／排出機構９は、後述する制御部１２によりモータ９ａを駆動制御することにより、回転部材９ｂを図２や図３に示す状態に回転駆動している。そして、収納部屋７に鍵収容ケース２を収納する場合には、図２に示すように、棒状の回転部材９ｂが、収納部屋７内の鍵収容ケース２の底部を支持するように支持収納部屋７の配列方向Ｘと直交する方向Ｙに延出して位置している。これに対し、収納部屋７に収納された鍵収容ケース２を排出する場合には、図３に示すように、回転部材９ｂが、収納部屋７の配列方向Ｘと平行な方向に収納部屋７の底部から外れて位置している。
【００２０】
なお、ケース支持／排出機構９は、図２や図３の構成に限定されるものではない。ケース支持／排出機構９は、投入口４ａから投入される鍵収容ケース２を収納部屋７内に支持したり、収納部屋７内の鍵収容ケース２を排出できる構成であれば良く、例えばモータによって開閉駆動される開閉扉を各収納部屋７の底部に設けて構成することもできる。
【００２１】
図１に示すように、筐体４内の収納部５の下方には、案内部材１０が設けられている。案内部材１０は、衝撃吸収材で構成され、収納部屋７から選択的に排出される鍵収容ケース２への衝撃を吸収し、排出された鍵収容ケース２を取出口４ｂに案内している。
【００２２】
本例の鍵保管装置１は、図４に示すように、電気的構成として、記憶部１１、制御部１２、表示部１３を筐体４に備えている。
【００２３】
記憶部１１は、例えば磁気的、光学的記憶媒体若しくはＲＯＭ、ＲＡＭ等の半導体メモリで構成される。記憶部１１には、制御部１２に入力される後述の操作入力情報、収納部屋７に収納された鍵収容ケース２の無線ＩＣタグ３から取得したタグ情報が正当な情報であるか否かを判別するための登録情報が予め登録されている。この登録情報は、鍵保管装置１の保管対象となる鍵Ｋに関する情報であり、例えば鍵保管装置１が設置される建物情報、鍵Ｋを所有する利用者の部屋情報、予め決められる暗証番号やケース番号等からなる。また、記憶部１１は、制御部１２が無線ＩＣタグ３から取得したタグ情報を正当な情報と判別したときに、そのタグ情報によって特定される鍵Ｋと、この鍵Ｋを収容した鍵収容ケース２が収納された収納部屋７との対応関係をテーブル形式のデータとして記憶している。
【００２４】
制御部１２は、例えばＣＰＵ、ＲＯＭ、ＲＡＭ等を含むマイクロコンピュータで構成され、収納部屋７に収納された鍵収容ケース２の取り出し時に操作入力情報が入力している。操作入力情報は、鍵収容ケース２の取り出しを指示するときに入力される情報であって、例えばカードリーダによってカード状記憶媒体（例えばＩＣカード）から非接触通信によって読み取られるカード情報（無線ＩＣタグ３と同じ情報）、テンキー操作による暗証情報等である。制御部１２は、操作入力情報と記憶部１１に登録された登録情報とを照合し、操作入力情報が正当な情報（登録された情報）であるか否かを判別している。また、制御部１２は、収納部屋７に収納された鍵収容ケース２の無線ＩＣタグ３から取得したタグ情報と記憶部１１に登録された登録情報とを照合し、タグ情報が正当な情報（登録された情報）であるか否かを判別している。さらに、制御部１２は、タグ情報を正当な状態と判別したときに、そのタグ情報によって特定される鍵Ｋと、この鍵Ｋを収容した鍵収容ケース２が収納された収納部屋７との対応関係をテーブル形式のデータとして記憶部１１に記憶している。また、制御部１２は、操作入力情報を正当な情報と判別したときに、その操作入力情報から鍵Ｋを特定し、この特定された鍵Ｋを収容した鍵収容ケース２が収納部５のどの収納部屋７に収納されているか否かを記憶部１１に記憶されたテーブル形式のデータから判別している。そして、制御部１２は、上記判別結果に基づき、表示部１３の表示制御やケース支持／排出機構９のモータ９ａの回転・停止の駆動制御を行っている。
【００２５】
表示部１３は、例えば筐体４の前面（図１の前面上部中央）に設けられ、制御部１２によって表示制御される液晶表示装置等で構成される。表示部１３は、制御部１２の判別結果として、例えば操作入力情報やタグ情報が登録された情報であるか否かの表示、投入口４ａから投入された鍵収容ケース２が保管可能か否かの表示、収納部屋７の空き数表示、異常判別によるアラーム表示等を行っている。
【００２６】
次に、上記構成による鍵保管装置１の動作として、鍵Ｋを鍵保管装置１に保管する場合の動作について説明する。
【００２７】
鍵Ｋを鍵保管装置１に保管する場合、利用者は、保管対象となる鍵Ｋを専用の鍵収容ケース２に収容して筐体４の投入口４ａから投入する。この投入口４ａから投入された鍵収容ケース２は、通路６を転がって収納部５に導かれ、収納部５の複数の収納部屋７のうち投入口４ａに最も近くに位置して空いている収納部屋７に収納される。収納部屋７に鍵収容ケース２が収納されると、その収納部屋７のタグ情報取得部８が鍵収容ケース２の無線ＩＣタグ３と非接触通信を行い、タグ情報取得部８が無線ＩＣタグ３からタグ情報を取得して制御部１２に出力する。制御部１２は、タグ情報取得部８が取得したタグ情報が登録情報と一致するか否かを判別する。制御部１２は、取得したタグ情報が登録情報と一致する、すなわち保管対象の鍵Ｋを収容した鍵収容ケース２のタグ情報と判別すると、そのタグ情報によって特定される鍵Ｋと収納部屋との対応関係を示すデータを記憶部１１に記憶する。
【００２８】
なお、制御部１２は、タグ情報が登録情報と一致しないと判別したとき、すなわち保管対象の鍵Ｋを収容した鍵収容ケース２のタグ情報でないと判別したときには、収納部屋７内に一旦収納された鍵収容ケース２を排出するようにケース支持／排出機構９を駆動し、案内部材１０を介して筐体４の取出口４ｂに鍵収容ケース２を排出する。
【００２９】
次に、収納部屋７に収納された鍵収容ケース２を取り出す場合の動作（鍵の取り出し動作）について図５のフローチャートを参照しながら説明する。収納部屋７に収納された鍵収容ケース２を取り出す場合、利用者は、制御部１２に対し、鍵収容ケース２を取り出す指示を入力する。具体的には、予め鍵収容ケース２を取り出すために必要な情報（例えば、建物情報、部屋情報、暗証番号、ケース番号など）が記憶されたカード状記憶媒体（例えばＩＣカード）を筐体４に設けられるカードリーダのアンテナ面にかざしたり、筐体４に設けられるテンキーを操作して暗証情報などを入力する。
【００３０】
そして、制御部１２は、利用者による操作入力情報の入力が有るか否かを判別する（ＳＴ１）。制御部１２は、操作入力情報の入力有りと判別すると（ＳＴ１−Ｙｅｓ）、この操作入力情報と登録情報とを照合し、操作入力情報が登録情報の内容と一致するか否か（登録有りか、登録無しか）を判別する（ＳＴ２）。制御部１２は、操作入力情報が登録情報と一致しない（登録無し）と判別すると（ＳＴ２−Ｎｏ）、登録無しの旨を表示部１３に表示する（ＳＴ３）。これに対し、制御部１２は、操作入力情報が登録情報と一致する（登録有り）と判別すると（ＳＴ２−Ｙｅｓ）、その操作入力情報から鍵Ｋを特定し、この特定された鍵Ｋを収容した鍵収容ケース２の保管状況を判別する（ＳＴ４）。すなわち、操作入力情報によって特定される鍵Ｋが収納部５のどの収納部屋７に収納されているか否かを記憶部１１に記憶されたテーブル形式のデータから判別する。
【００３１】
そして、制御部１２は、操作入力情報によって特定される鍵Ｋが収納部５のどの収納部屋７にも収納されていない（鍵Ｋの保管無し）と判別すると（ＳＴ４−Ｎｏ）、鍵Ｋの保管無しの旨を表示部１３に表示する（ＳＴ５）。これに対し、制御部１２は、操作入力情報によって特定される鍵Ｋの収納部屋７の位置を確認し、鍵Ｋの保管有りと判別すると（ＳＴ４−Ｙｅｓ）、その鍵Ｋが収納された収納部屋７から鍵収容ケース２を排出するようにケース支持／排出機構９を駆動制御する。具体的には、モータ９ａを所定時間通電し（ＳＴ６）、収納部屋７の底部から外れて位置するように棒状の回転部材９ｂを回転駆動する。そして、収納部屋７から排出された鍵収容ケース２は、案内部材１０を介して筐体４の取出口４ｂに案内される。これにより、利用者は、取出口４ｂに排出された鍵収容ケース２を取り出し、鍵収容ケース２に収容された鍵Ｋを使って部屋の施解錠を行うことができる。
【００３２】
このように、本例の鍵保管装置１によれば、鍵Ｋを保管する場合、従来のような装置における鍵Ｋの収納位置を意識する必要がなく、所持する鍵Ｋを鍵収容ケース２に収容し、この鍵収容ケース２を筐体４の投入口４ａから投入するだけの極めて簡単な操作で容易に鍵Ｋの保管を行うことができる。その際、タグ情報取得部８が取得したタグ情報と、このタグ情報が取得される鍵収容ケース２を収納した収納部屋７との対応関係を示すデータが記憶部１１に記憶される。
【００３３】
そして、鍵保管装置１から鍵Ｋを取り出す場合には、鍵Ｋの取り出しを指示する情報を入力するだけの操作、例えばカード状記憶媒体（ＩＣカード等）を筐体４のカードリーダにかざしてカード情報を読み取らせる操作やテンキーによる暗証番号等の入力操作を行うと、そのときの入力情報（鍵Ｋを特定する情報）によって特定される鍵Ｋが収容された鍵収容ケース２の収納部屋７を記憶部１１に記憶されたデータから判別し、その判別結果に基づいて該当する鍵収容ケース２を収納部屋７から排出するようにケース支持／排出機構９を駆動制御して鍵収容ケース２を筐体４の取出口４ｂに排出することができる。これにより、利用者は、筐体４の取出口４ｂに排出された鍵収容ケース２を取り出し、その鍵収容ケース２に収容された鍵Ｋを用いて部屋の施解錠を行うことができる。
【図面の簡単な説明】
【００３４】
【図１】本発明に係る鍵保管装置の概略構成を示す図である。
【図２】本発明に係る鍵保管装置において鍵収容ケースの収納状態を示す収納部の部分斜視図である。
【図３】本発明に係る鍵保管装置において鍵収容ケースの排出状態を示す収納部の部分斜視図である。
【図４】本発明に係る鍵保管装置の電気的構成部分のブロック図である。
【図５】本発明に係る鍵保管装置の動作フローチャートである。
【図６】特許文献１に開示される鍵管理装置の動作を表す正面図である。
【図７】図６の鍵管理装置の側断面図である。
【符号の説明】
【００３５】
１  鍵保管装置
２  鍵収容ケース
２ａ，２ｂ  半球体
２ｃ  開口側外周部
３  無線ＩＣタグ
４  筐体
４ａ  投入口
４ｂ  取出口
５  収納部
６  通路
７  収納部屋
８  タグ情報取得部
９  ケース支持／排出機構
９ａ  モータ
９ｂ  回転部材
１１  記憶部
１２  制御部
１３  表示部
【図１】
2008261180.tif 000003
【図２】
2008261180.tif 000004
【図３】
2008261180.tif 000005
【図４】
2008261180.tif 000006
【図５】
2008261180.tif 000007
【図６】
2008261180.tif 000008
【図７】
2008261180.tif 000009